(57)【要約】【構成】ＲＩＳ１４に設けられたＲＩＳサーバ１４ｓｖは、ＨＩＳ１２に設けられたＨＩＳサーバ１２ｓｖから検査オーダを受信したとき、検査目的とアクセッション番号とを含む検査リストを作成し、作成した検査リストをモダリティコンソール１６に転送する。モダリティコンソール１６は、受信した検査リストに検査目的に沿って撮影された医用画像と受信した検査リストに含まれるアクセッション番号とを収めたＤＩＣＯＭファイルをＰＡＣＳ２６に保存する。検像システム２０は、ＲＩＳサーバ１４ｓｖによって作成された検査リストのうち所望の検査目的を含む検査リストをＲＩＳサーバ１４ｓｖから取得し、取得された検査リストに含まれるアクセッション番号に相当するアクセッション番号を収めたＤＩＣＯＭファイルをＰＡＣＳから取得する。【効果】検像を基点とする医療支援体制の充実化が図られる。【選択図】図１
2016218799.tif 000002
【特許請求の範囲】
【請求項１】
放射線科情報システムとモダリティコンソールと検像システムとを備える複合医療支援システムであって、
前記放射線科情報システムは、
１対の検査目的および検査番号を含む検査情報を作成する作成手段、および
前記作成手段によって作成された検査情報を前記モダリティコンソールに転送する転送手段を備え、
前記モダリティコンソールは、
前記転送手段によって転送された検査情報に含まれる検査目的に沿って撮影された医用画像と前記転送手段によって転送された検査情報に含まれる検査番号とを収めた画像ファイルを主記憶装置に保存する保存手段を備え、
前記検像システムは、
前記作成手段によって作成された検査情報に含まれる検査番号のうち所望の検査目的と対をなす検査番号を前記放射線科情報システムから取得する第１取得手段、および
前記第１取得手段によって取得された検査番号に相当する検査番号を収めた画像ファイルを前記主記憶装置から取得する第２取得手段を備える、複合医療支援システム。
【請求項２】
検査オーダを発行する病院情報システムをさらに備え、
前記作成手段は前記病院情報システムによって発行された検査オーダに従って前記検査情報を作成する、請求項１記載の複合医療支援システム。
【請求項３】
前記保存手段によって保存される画像ファイルは患者情報をさらに収め、
前記検像システムは前記第２取得手段によって取得された画像ファイルを前記患者情報に基づいてグループ化するグループ化手段をさらに備える、請求項１または２記載の複合医療支援システム。
【請求項４】
前記保存手段によって保存される画像ファイルは撮影時に患者を透過した放射線の線量指標をさらに収め、
前記検像システムは所望のグループに属する画像ファイルに収められた線量指標を可視化する可視化手段をさらに備える、請求項３記載の複合医療支援システム。
【請求項５】
前記第１取得手段は前記所望の検査目的を含む検査情報要求を前記放射線科情報システムに対して発行する第１要求発行手段を含み、
前記放射線科情報システムは、前記第１要求発行手段によって発行された検査情報要求に合致する検査情報を要求元に返送する情報返送手段をさらに備える、請求項１ないし４のいずれかに記載の複合医療支援システム。
【請求項６】
前記主記憶装置は外部サーバに設けられ、
前記第２取得手段は対象検査番号が記述された画像ファイル要求を前記外部サーバに対して発行する第２要求発行手段、および前記第２要求発行手段によって発行された画像ファイル要求に対して前記外部サーバから返送された画像ファイルを受信する画像ファイル受信手段を含む、請求項１ないし５のいずれかに記載の複合医療支援システム。
【請求項７】
放射線科情報システムによって実行される第１医療支援方法とモダリティコンソールによって実行される第２医療支援方法と検像システムによって実行される第３医療支援方法とを備える複合医療支援方法であって、
前記第１医療支援方法は、
１対の検査目的と検査番号とを含む検査情報を作成する作成ステップ、および
前記作成ステップによって作成された検査情報を前記モダリティコンソールに転送する転送ステップを備え、
前記第２医療支援方法は、
前記転送ステップによって転送された検査情報に含まれる検査目的に沿って撮影された医用画像と前記転送ステップによって転送された検査情報に含まれる検査番号とを収めた画像ファイルを主記憶装置に保存する保存ステップを備え、
前記第３医療支援方法は、
前記作成ステップによって作成された検査情報に含まれる検査番号のうち所望の検査目的と対をなす検査番号を前記放射線科情報システムから取得する第１取得ステップ、および
前記第１取得ステップによって取得された検査番号に相当する検査番号を収めた画像ファイルを前記主記憶装置から取得する第２取得ステップを備える、複合医療支援方法。
【請求項８】
放射線科情報システムに提供される第１医療支援プログラムとモダリティコンソールに提供される第２医療支援プログラムと検像システムに提供される第３医療支援プログラムとを備える複合医療支援プログラムであって、
前記第１医療支援プログラムは、
１対の検査目的と検査番号とを含む検査情報を作成する作成ステップ、および
前記作成ステップによって作成された検査情報を前記モダリティコンソールに転送する転送ステップを前記放射線科情報システムのプロセッサに実行させるためのプログラムであり、
前記第２医療支援プログラムは、
前記転送ステップによって転送された検査情報に含まれる検査目的に沿って撮影された医用画像と前記転送ステップによって転送された検査情報に含まれる検査番号とを収めた画像ファイルを主記憶装置に保存する保存ステップを前記モダリティコンソールのプロセッサに実行させるためのプログラムであり、
前記第３医療支援プログラムは、
前記作成ステップによって作成された検査情報に含まれる検査番号のうち所望の検査目的と対をなす検査番号を前記放射線科情報システムから取得する第１取得ステップ、および
前記第１取得ステップによって取得された検査番号に相当する検査番号を収めた画像ファイルを前記主記憶装置から取得する第２取得ステップを前記検像システムのプロセッサに実行させるためのプログラムである、複合医療支援プログラム。
【発明の詳細な説明】
【技術分野】
【０００１】
この発明は、複合医療支援システムに関し、特に、放射線科情報システムとモダリティコンソールと検像システムとを備える、複合医療支援システムに関する。
【０００２】
この発明はまた、複合医療支援方法に関し、特に、放射線科情報システムによって実行される第１医療支援方法とモダリティコンソールによって実行される第２医療支援方法と検像システムによって実行される第３医療支援方法とを備える、複合医療支援方法に関する。
【０００３】
この発明はさらに、複合医療支援プログラムに関し、放射線科情報システムに提供される第１医療支援プログラムとモダリティコンソールに提供される第２医療支援プログラムと検像システムに提供される第３医療支援プログラムとを備える、複合医療支援プログラムに関する。
【背景技術】
【０００４】
病院情報システムが検査オーダを発行すると、放射線科情報システムは、患者情報および検査情報が記述された検査リストを作成する。ここで、検査情報には、“検診”および“診断”のいずれか一方を示す検査目的と固有のアクセッション番号（検査番号）とが含まれる。
【０００５】
モダリティを用いて患者を撮影するとき、放射線技師は、放射線科情報システムで作成された検査リストを参照して撮影条件を調整する。特に、撮影時の放射線量は、検査リストで示された検査目的に応じて異なる値に設定される。たとえば、検査目的が“検診”であれば、放射線量はプリセット値に僅かな修正を加えた値に設定され、検査目的が“診断”であれば、放射線量は検査部位や体格を踏まえて厳密に調整した値に設定される。
【０００６】
撮影条件情報は、モダリティによる撮影完了後に放射線科情報システムに送信され、検査リストに記述される。これに対して、モダリティによって撮影された医用画像は、患者情報，アクセッション番号および撮影条件情報とともにＤＩＣＯＭ(Digital Imaging and Communication in Medicine)ファイルに収められ、ファイル形式で画像サーバに保存される。したがって、共通の患者の検査リストおよびＤＩＣＯＭファイルは、共通のアクセッション番号によって互いに関連付けられる。
【先行技術文献】
【非特許文献】
【０００７】
【非特許文献１】「画像情報の確定に関するガイドライン第２．１版」（公益社団法人日本放射線技術学会、平成２６年８月１８日）
【発明の概要】
【発明が解決しようとする課題】
【０００８】
しかし、画像サーバに保存されたＤＩＣＯＭファイルを検像する際、現状では検査目的が参照されることはなく、検像を基点とする医療支援体制に限界がある。なお、非特許文献の１１ページ目には検査目的に関する記述があるが、検査目的の具体的な利用方法は明記されていない。
【０００９】
それゆえに、この発明の主たる目的は、検像を基点とする医療支援体制の充実化を図ることができる、複合医療支援システム、複合医療支援方法および複合医療支援プログラムを提供することである。
【課題を解決するための手段】
【００１０】
この発明に従う複合医療支援システムは、放射線科情報システム(14：実施例で相当する参照符号。以下同じ)とモダリティコンソール(16)と検像システム(20)とを備える複合医療支援システムであって、放射線科情報システムは、１対の検査目的および検査番号を含む検査情報を作成する作成手段(S113)、および作成手段によって作成された検査情報をモダリティコンソールに転送する転送手段(S137)を備え、モダリティコンソールは、転送手段によって転送された検査情報に含まれる検査目的に沿って撮影された医用画像と転送手段によって転送された検査情報に含まれる検査番号とを収めた画像ファイルを主記憶装置(222, 207)に保存する保存手段(S189)を備え、検像システムは、作成手段によって作成された検査情報に含まれる検査番号のうち所望の検査目的と対をなす検査番号を放射線科情報システムから取得する第１取得手段(S213~S217)、および第１取得手段によって取得された検査番号に相当する検査番号を収めた画像ファイルを主記憶装置から取得する第２取得手段(S219~S223)を備える。
【００１１】
好ましくは、検査オーダを発行する病院情報システム(12)がさらに備えられ、作成手段は病院情報システムによって発行された検査オーダに従って検査情報を作成する。
【００１２】
好ましくは、保存手段によって保存される画像ファイルは患者情報をさらに収め、検像システムは第２取得手段によって取得された画像ファイルを患者情報に基づいてグループ化するグループ化手段(S225~S227)をさらに備える。
【００１３】
さらに好ましくは、保存手段によって保存される画像ファイルは撮影時に患者を透過した放射線の線量指標をさらに収め、検像システムは所望のグループに属する画像ファイルに収められた線量指標を可視化する可視化手段(S229~S233)をさらに備える。
【００１４】
好ましくは、第１取得手段は所望の検査目的を含む検査情報要求を放射線科情報システムに対して発行する第１要求発行手段(S215)を含み、放射線科情報システムは、第１要求発行手段によって発行された検査情報要求に合致する検査情報を要求元に返送する情報返送手段(S161~S165)をさらに備える。
【００１５】
好ましくは、主記憶装置は外部サーバ(22)に設けられ、第２取得手段は対象検査番号が記述された画像ファイル要求を外部サーバに対して発行する第２要求発行手段(S221)、および第２要求発行手段によって発行された画像ファイル要求に対して外部サーバから返送された画像ファイルを受信する画像ファイル受信手段(S223)を含む。
【００１６】
この発明に従う複合医療支援方法は、放射線科情報システム(14)によって実行される第１医療支援方法とモダリティコンソール(16)によって実行される第２医療支援方法と検像システム(20)によって実行される第３医療支援方法とを備える複合医療支援方法であって、第１医療支援方法は、１対の検査目的と検査番号とを含む検査情報を作成する作成ステップ(S113)、および作成ステップによって作成された検査情報をモダリティコンソールに転送する転送ステップ(S137)を備え、第２医療支援方法は、転送ステップによって転送された検査情報に含まれる検査目的に沿って撮影された医用画像と転送ステップによって転送された検査情報に含まれる検査番号とを収めた画像ファイルを主記憶装置(222, 207)に保存する保存ステップ(S189)を備え、第３医療支援方法は、作成ステップによって作成された検査情報に含まれる検査番号のうち所望の検査目的と対をなす検査番号を放射線科情報システムから取得する第１取得ステップ(S213~S217)、および第１取得ステップによって取得された検査番号に相当する検査番号を収めた画像ファイルを主記憶装置から取得する第２取得ステップ(S219~S223)を備える。
【００１７】
この発明に従う複合医療支援プログラムは、放射線科情報システム(14)に提供される第１医療支援プログラムとモダリティコンソール(16)に提供される第２医療支援プログラムと検像システム(20)に提供される第３医療支援プログラムとを備える複合医療支援プログラムであって、第１医療支援プログラムは、１対の検査目的と検査番号とを含む検査情報を作成する作成ステップ(S113)、および作成ステップによって作成された検査情報をモダリティコンソールに転送する転送ステップ(S137)を放射線科情報システムのプロセッサ(14sv4)に実行させるためのプログラムであり、第２医療支援プログラムは、転送ステップによって転送された検査情報に含まれる検査目的に沿って撮影された医用画像と転送ステップによって転送された検査情報に含まれる検査番号とを収めた画像ファイルを主記憶装置(222, 207)に保存する保存ステップ(S189)をモダリティコンソールのプロセッサ(162)に実行させるためのプログラムであり、第３医療支援プログラムは、作成ステップによって作成された検査情報に含まれる検査番号のうち所望の検査目的と対をなす検査番号を放射線科情報システムから取得する第１取得ステップ(S213~S217)、および第１取得ステップによって取得された検査番号に相当する検査番号を収めた画像ファイルを主記憶装置から取得する第２取得ステップ(S219~S223)を検像システムのプロセッサ(202)に実行させるためのプログラムである。
【発明の効果】
【００１８】
検査情報および画像ファイルは、放射線科情報システムおよび外部サーバによってそれぞれ管理され、かつ検査番号によって互いに関連付けられる。これを踏まえて、検像システムは、所望の検査目的を含む検査情報を放射線科情報システムから取得し、取得した検査情報に関連する画像ファイルを検査番号に基づいて外部サーバから取得する。これによって、所望の検査目的で作成された医用画像を対象として検像を実施することができ、検像を基点とする医療支援体制の充実化が図られる。
【００１９】
この発明の上述の目的，その他の目的，特徴および利点は、図面を参照して行う以下の実施例の詳細な説明から一層明らかとなろう。
【図面の簡単な説明】
【００２０】
【図１】この実施例の複合医療支援システムの構成を示すブロック図である。
【図２】図１に示すＨＩＳサーバ，ＲＩＳサーバまたは画像保存通信システムの構成の一例を示すブロック図である。
【図３】図１に示すＨＩＳ端末，ＲＩＳ端末，モダリティコンソールまたは検像システムの構成の一例を示すブロック図である。
【図４】ＲＩＳサーバによって作成される検査リストの一例を示す図解図である。
【図５】ＲＩＳサーバによって作成される予約リストの一例を示す図解図である。
【図６】受付用のＲＩＳ端末に表示される受付画面の一例を示す図解図である。
【図７】検査用のＲＩＳ端末に表示される検査室画面の一例を示す図解図である。
【図８】検査用のＲＩＳ端末に表示される検査室画面の他の一例を示す図解図である。
【図９】検査用のＲＩＳ端末に多重表示された検査リストの一例を示す図解図である。
【図１０】モダリティコンソールによって作成されるＤＩＣＯＭファイルの構造の一例を示す図解図である。
【図１１】（Ａ）はＲＩＳサーバに設けられたコンソール用レジスタの構成の一例を示す図解図であり、（Ｂ）はＲＩＳサーバに設けられたＲＩＳ端末用レジスタの構成の一例を示す図解図である。
【図１２】検像システムに表示される度数分布グラフの一例を示す図解図である。
【図１３】ＨＩＳ端末に設けられたＣＰＵの動作の一部を示すフロー図である。
【図１４】ＨＩＳ端末に設けられたＣＰＵの動作の他の一部を示すフロー図である。
【図１５】ＨＩＳサーバに設けられたＣＰＵの動作の一部を示すフロー図である。
【図１６】ＲＩＳ端末に設けられたＣＰＵの動作の一部を示すフロー図である。
【図１７】ＲＩＳ端末に設けられたＣＰＵの動作の他の一部を示すフロー図である。
【図１８】ＲＩＳサーバに設けられたＣＰＵの動作の一部を示すフロー図である。
【図１９】ＲＩＳサーバに設けられたＣＰＵの動作の他の一部を示すフロー図である。
【図２０】ＲＩＳサーバに設けられたＣＰＵの動作のその他の一部を示すフロー図である。
【図２１】ＲＩＳサーバに設けられたＣＰＵの動作のさらにその他の一部を示すフロー図である。
【図２２】モダリティコンソールに設けられたＣＰＵの動作の一部を示すフロー図である。
【図２３】画像保存通信システムに設けられたＣＰＵの動作の一部を示すフロー図である。
【図２４】検像システムに設けられたＣＰＵの動作の一部を示すフロー図である。
【図２５】検像システムに設けられたＣＰＵの動作の他の一部を示すフロー図である。
【図２６】この実施例の複合医療支援システムの構成を示すブロック図である。
【発明を実施するための形態】
【００２１】
図１を参照して、この実施例の複合医療支援システムは、通信網１０を介して互いに接続された病院情報システム（以下、「ＨＩＳ」と言う。）１２，放射線科情報システム（以下、「ＲＩＳ」と言う。）１４，モダリティコンソール１６，検像システム２０，外部サーバである画像保存通信システム（以下、「ＰＡＣＳ」と言う。）２２によって構成される。
【００２２】
この実施例では、ＨＩＳ１２は、通信網１０に接続された単一のＨＩＳサーバ１２ｓｖと、ＨＩＳサーバ１２ｓｖに接続された単一のＨＩＳ端末１２ｔｍとによって構成される。また、ＲＩＳ１４は、通信網１０に接続された単一のＲＩＳサーバ１４ｓｖと、ＲＩＳサーバ１４ｓｖに接続された２つのＲＩＳ端末１４ｔｍ，１４ｔｍ（一方が“受付用”で他方が“検査用”）とによって構成される。さらに、モダリティコンソール１６は、ＣＴやＭＲＩなどのモダリティ１８を操作するべく、モダリティ１８と接続される。
【００２３】
なお、ＨＩＳ端末１２ｔｍは主治医が待機する診察室に設置され、受付用のＲＩＳ端末１４ｔｍは放射線科の受付に設置され、検査用のＲＩＳ端末１４ｔｍは放射線科の検査室に設置され、モダリティコンソール１６およびモダリティ１８は放射線科の撮影室に設置される。
【００２４】
ＨＩＳサーバ１２ｓｖ，ＲＩＳサーバ１４ｓｖまたはＰＡＣＳ２２は、図２に示すように構成される。また、ＨＩＳ端末１２ｔｍ，ＲＩＳ端末１４ｔｍ，モダリティコンソール１６または検像システム２０は、図３に示すように構成される。
【００２５】
ＨＩＳサーバ１２ｓｖにおいて、バス１２ｓｖ６には、通信Ｉ／Ｆ１２ｓｖ１，主記憶装置１２ｓｖ２，ＤＲＡＭ１２ｓｖ３，ＣＰＵ１２ｓｖ４および通信Ｉ／Ｆ１２ｓｖ５が接続される。通信Ｉ／Ｆ１２ｓｖ１はＨＩＳ端末１２ｔｍと通信を行うためのデバイスであり、通信Ｉ／Ｆ１２ｓｖ５は通信網１０と通信を行うためのデバイスである。
【００２６】
ＲＩＳサーバ１４ｓｖにおいて、バス１４ｓｖ６には、通信Ｉ／Ｆ１４ｓｖ１，主記憶装置１４ｓｖ２，ＤＲＡＭ１４ｓｖ３，ＣＰＵ１４ｓｖ４および通信Ｉ／Ｆ１４ｓｖ５が接続される。通信Ｉ／Ｆ１４ｓｖ１はＲＩＳ端末１４ｔｍ，１４ｔｍと通信を行うためのデバイスであり、通信Ｉ／Ｆ１４ｓｖ５は通信網１０と通信を行うためのデバイスである。
【００２７】
ＰＡＣＳ２２において、バス２２６には、主記憶装置２２２，ＤＲＡＭ２２３，ＣＰＵ２２４および通信Ｉ／Ｆ２２５が接続される。通信網１０は、通信Ｉ／Ｆ２２５と接続される。なお、ＨＩＳサーバ１２ｓｖまたはＲＩＳサーバ１４ｓｖと異なり、ＰＡＣＳ２２では、通信Ｉ／Ｆ１２ｓｖ１または１４ｓｖ１に相当するデバイスは省かれる。
【００２８】
ＨＩＳ端末１２ｔｍにおいて、バス１２ｔｍ８には、通信Ｉ／Ｆ１２ｔｍ１，ＣＰＵ１２ｔｍ２，キーボード１２ｔｍ３，マウスポインタ１２ｔｍ４，ディスプレイ装置１２ｔｍ５，ＤＲＡＭ１２ｔｍ６および主記憶装置１２ｔｍ７が接続される。通信網１０は、通信Ｉ／Ｆ１２ｔｍ１と接続される。
【００２９】
ＲＩＳ端末１４ｔｍにおいて、バス１４ｔｍ８には、通信Ｉ／Ｆ１４ｔｍ１，ＣＰＵ１４ｔｍ２，キーボード１４ｔｍ３，マウスポインタ１４ｔｍ４，ディスプレイ装置１４ｔｍ５，ＤＲＡＭ１４ｔｍ６および主記憶装置１４ｔｍ７が接続される。通信網１０は、通信Ｉ／Ｆ１４ｔｍ１と接続される。
【００３０】
モダリティコンソール１６において、バス１６８には、通信Ｉ／Ｆ１６１，ＣＰＵ１６２，キーボード１６３，マウスポインタ１６４，ディスプレイ装置１６５，ＤＲＡＭ１６６および主記憶装置１６７が接続される。通信網１０は、通信Ｉ／Ｆ１６１と接続される。モダリティコンソール１６にはまた、モダリティ１８と接続するための図示しない通信Ｉ／Ｆが追加的に設けられる。
【００３１】
検像システム２０において、バス２０８には、通信Ｉ／Ｆ２０１，ＣＰＵ２０２，キーボード２０３，マウスポインタ２０４，ディスプレイ装置２０５，ＤＲＡＭ２０６および主記憶装置２０７が接続される。通信網１０は、通信Ｉ／Ｆ２０１と接続される。
【００３２】
ＨＩＳ端末１２ｔｍに設けられたＣＰＵ１２ｔｍ２は図１３〜図１４に示すフロー図に従う処理を実行し、ＨＩＳサーバ１２ｓｖに設けられたＣＰＵ１２ｓｖ４は図１５に示すフロー図に従う処理を実行する。図１３〜図１４に示すフロー図に対応する制御プログラムは主記憶装置１２ｔｍ７に保存され、図１５に示すフロー図に対応する制御プログラムは主記憶装置１２ｓｖ２に保存される。
【００３３】
また、ＲＩＳ端末１４ｔｍに設けられたＣＰＵ１４ｔｍ２は図１６〜図１７に示すフロー図に従う処理を実行し、ＲＩＳサーバ１４ｓｖに設けられたＣＰＵ１４ｓｖ４は図１８〜図２１に示すフロー図に従う処理を実行する。図１６〜図１７に示すフロー図に対応する制御プログラムは主記憶装置１４ｔｍ７に保存され、図１８〜図２１に示すフロー図に対応する制御プログラムは主記憶装置１４ｓｖ２に保存される。
【００３４】
さらに、モダリティコンソール１６に設けられたＣＰＵ１６２は図２２に示すフロー図に従う処理を実行し、ＰＡＣＳ２２に設けられたＣＰＵ２２４は図２３に示すフロー図に従う処理を実行し、検像システム２０に設けられたＣＰＵ２０２は図２４〜図２５に示すフロー図に示す処理を実行する。図２２に示すフロー図に対応する制御プログラムは主記憶装置１６７に保存され、図２３に示すフロー図に対応する制御プログラムは主記憶装置２２２に保存され、図２４〜図２５に示すフロー図に対応する制御プログラムは主記憶装置２０７に保存される。以下では、病院を訪れた患者の行動に沿って、各フロー図の処理を説明する。
【００３５】
患者はまず、診察室でＨＩＳ端末１２ｔｍを操作する主治医と対面する。主治医は、この患者の電子カルテを閲覧するべく、キーボード１２ｔｍ３またはマウスポインタ１２ｔｍ４によって電子カルテ要求操作を行う。すると、ＣＰＵ１２ｔｍ２は図１３に示すステップＳ１でＹＥＳと判別し、ステップＳ７で電子カルテ転送要求をＨＩＳサーバ１２ｓｖに向けて発行する。電子カルテ転送要求は通信Ｉ／Ｆ１２ｔｍ１から出力され、ＨＩＳサーバ１２ｓｖに設けられた通信Ｉ／Ｆ１２ｓｖ１を介してＨＩＳサーバ１２ｓｖのＣＰＵ１２ｓｖ４に与えられる。
【００３６】
なお、主治医が他の操作を行うと、ＣＰＵ１２ｔｍ２はステップＳ３でＹＥＳと判別し、ステップＳ５で他の処理を実行する。他の処理が完了すると、ＣＰＵ１２ｔｍ２はステップＳ１に戻る。
【００３７】
図１５に飛んで、ＨＩＳサーバ１２ｓｖのＣＰＵ１２ｓｖ４は、ＨＩＳ端末１２ｔｍから受信した電子カルテ転送要求に応答してステップＳ４１からステップＳ４３に進み、要求に合致する電子カルテを主記憶装置１２ｓｖ２から取得する。取得した電子カルテは、ＤＲＡＭ１２ｓｖ３に一時的に保持される。ＣＰＵ１２ｓｖ４は、取得した電子カルテの要求元への転送をステップＳ４５で通信Ｉ／Ｆ１２ｓｖ１に命令する。ＤＲＡＭ１２ｓｖ３に保持された電子カルテは、通信Ｉ／Ｆ１２ｓｖ１から出力され、ＨＩＳ端末１２ｔｍに設けられた通信Ｉ／Ｆ１２ｔｍ１を介して、ＨＩＳ端末１２ｔｍのＤＲＡＭ１２ｔｍ６に取り込まれる。
【００３８】
図１３に戻って、ＨＩＳ端末１２ｔｍのＣＰＵ１２ｔｍ２は、要求に合致する電子カルテをＨＩＳサーバ１２ｓｖから受信したとき、ステップＳ９からステップＳ１１に進み、受信した電子カルテの表示をディスプレイ装置１２ｔｍ５に命令する。ＤＲＡＭ１２ｔｍ６に格納された電子カルテは、ディスプレイ装置１２ｔｍ５によって読み出され、モニタ画面に表示される。
【００３９】
主治医は、患者を問診しつつ、キーボード１２ｔｍ３またはマウスポインタ１２ｔｍ４を操作して所見等を電子カルテに入力する。入力される所見等には、検査を依頼する記述が含まれる場合がある。検査を依頼する記述では、検査すべき部位が検査名として明示されるとともに、“検診”および“診断”のいずれかが検査目的として明示される。
【００４０】
このような所見等入力操作が行われると、ＣＰＵ１２ｔｍ２は、ステップＳ１３でＹＥＳと判別し、ＤＲＡＭ１２ｔｍ６に格納された電子カルテの記述をステップＳ１５で更新する。更新された記述は、モニタ画面上の電子カルテにも反映される。
【００４１】
電子カルテには、過去に撮影した患者の医用画像が関連付けられている場合がある。主治医がこの医用画像を閲覧するべくキーボード１２ｔｍ３またはマウスポインタ１２ｔｍ４によって画像表示操作を行うと、ＣＰＵ１２ｔｍ２は、ステップＳ１７からステップＳ１９に進み、ＤＩＣＯＭファイル転送要求をＨＩＳサーバ１２ｓｖに向けて発行する。ＤＩＣＯＭファイル転送要求もまた、通信Ｉ／Ｆ１２ｔｍ１から出力され、ＨＩＳサーバ１２ｓｖに設けられた通信Ｉ／Ｆ１２ｓｖ１を介してＨＩＳサーバ１２ｓｖのＣＰＵ１２ｓｖ４に与えられる。
【００４２】
図１５を参照して、ＣＰＵ１２ｓｖ４は、ＨＩＳ端末１２ｔｍから受信したＤＩＣＯＭファイル転送要求に応答して、ステップＳ４７からステップＳ４９に進む。ステップＳ４９では、受信したＤＩＣＯＭファイル転送要求をＰＡＣＳ２２に回送する。ＤＩＣＯＭファイル転送要求は、通信Ｉ／Ｆ１２ｓｖ５から出力され、通信網１０とＰＡＣＳ２２に設けられた通信Ｉ／Ｆ２２５とを介して、ＰＡＣＳ２２のＣＰＵ２２４に与えられる。
【００４３】
図２３に飛んで、ＣＰＵ２２４は、ＨＩＳサーバ１２ｓｖから回送されたＤＩＣＯＭファイル転送要求に応答して、ステップＳ２０１からステップＳ２０３に進む。ステップＳ２０３では、要求に合致するＤＩＣＯＭファイルを主記憶装置２２２から取得する。取得されたＤＩＣＯＭファイルは、ＤＲＡＭ２２３に一時的に保持される。
【００４４】
ステップＳ２０５では、こうして取得したＤＩＣＯＭファイルの要求元への転送を通信Ｉ／Ｆ２２５に命令する。ＤＲＡＭ２２３に保持されたＤＩＣＯＭファイルは、通信Ｉ／Ｆ２２５から出力され、通信網１０とＨＩＳサーバ１２ｓｖに設けられた通信Ｉ／Ｆ１２ｓｖ５とを介して、ＨＩＳサーバ１２ｓｖのＤＲＡＭ１２ｓｖ３に取り込まれる。
【００４５】
図１５に戻って、ＣＰＵ１２ｓｖ４は、ＰＡＣＳ２２からＤＩＣＯＭファイルを受信したとき、ステップＳ５１からステップＳ５３に進み、受信したＤＩＣＯＭファイルをＨＩＳ端末１２ｔｍに回送する。ＤＩＣＯＭファイルは、通信Ｉ／Ｆ１２ｓｖ１から出力され、ＨＩＳ端末１２ｔｍに設けられた通信Ｉ／Ｆ１２ｔｍ１を介してＨＩＳ端末１２ｔｍのＤＲＡＭ１２ｔｍ６に格納される。
【００４６】
図１４に戻って、ＨＩＳ端末１２ｔｍのＣＰＵ１２ｔｍ２は、要求に合致するＤＩＣＯＭファイルがＤＲＡＭ１２ｔｍ６に取り込まれたとき、ステップＳ２１からステップＳ２３に進む。ステップＳ２３では、ＤＲＡＭ１２ｔｍ６上のＤＩＣＯＭファイルに収められた医用画像の表示をディスプレイ装置１２ｔｍ５に命令する。ディスプレイ装置１２ｔｍ５は、要求された医用画像をＤＲＡＭ１２ｔｍ６から読み出し、読み出された医用画像をモニタ画面に表示する。
【００４７】
患者への問診が終了し、主治医がキーボード１２ｔｍ３またはマウスポインタ１２ｔｍ４によって終了操作を行うと、ＣＰＵ１２ｔｍ２は、ステップＳ２５からステップＳ２７に進み、モニタ画面上の電子カルテおよび医用画像を非表示とする。電子カルテの記述に変更が生じていれば、ＣＰＵ１２ｔｍ２は、ステップＳ２９からステップＳ３１に進み、電子カルテ保存要求をＨＩＳサーバ１２ｓｖに向けて発行する。
【００４８】
発行される電子カルテ保存要求には、変更後の電子カルテが付随する。電子カルテ保存要求および電子カルテは、通信Ｉ／Ｆ１２ｔｍ１から出力され、ＨＩＳサーバ１２ｓｖに設けられた通信Ｉ／Ｆ１２ｓｖ１を介して、ＨＩＳサーバ１２ｓｖのＣＰＵ１２ｓｖ４およびＤＲＡＭ１２ｓｖ３にそれぞれ与えられる。
【００４９】
図１５を参照して、ＣＰＵ１２ｓｖ４は、ＨＩＳ端末１２ｔｍから受信した電子カルテ保存要求に応答してステップＳ５５からステップＳ５７に進み、ＤＲＡＭ１２ｓｖ３上の電子カルテを主記憶装置１２ｓｖ２に保存する。また、ＤＲＡＭ１２ｓｖ３上の電子カルテに検査を依頼する記述があれば、ＣＰＵ１２ｓｖ４は、ステップＳ５９からステップＳ６１に進み、検査オーダをＲＩＳサーバ１４ｓｖに通知する。
【００５０】
検査オーダには、電子カルテに記述された患者情報，検査名および検査目的に加えて、固有のアクセッション番号（検査番号）が含まれる。特に、アクセッション番号は検査目的と対をなし、１対の検査目的およびアクセッション番号が検査オーダに含まれる。また、検査オーダは、通信Ｉ／Ｆ１２ｓｖ５から出力され、通信網１０とＲＩＳサーバ１４ｓｖに設けられた通信Ｉ／Ｆ１４ｓｖ５とを介して、ＲＩＳサーバ１４ｓｖのＣＰＵ１４ｓｖ４に与えられる。
【００５１】
なお、ＣＰＵ１４ｓｖ４は、他の要求を受信したときステップＳ６３でＹＥＳと判別し、ステップＳ６５で他の処理を実行する。
【００５２】
図１８に飛んで、ＲＩＳサーバ１４ｓｖのＣＰＵ１４ｓｖ４は、ＨＩＳサーバ１２ｓｖから検査オーダが通知されたとき、ステップＳ１１１からステップＳ１１３に進み、通知された検査オーダに合致する検査リスト（検査情報）を図４に示す要領で作成する。作成された検査リストには、検査オーダに含まれる患者情報，検査名，検査目的，アクセッション番号（オーダ番号として表示）が記述される。管電圧，管電流，曝射時間，距離などの撮影条件は、検査名および検査目的に対応する値に一律的に設定される。また、検査リストのステータスは“未受付”に設定される。
【００５３】
ステップＳ１１５では、検査リストに記述された項目の一部を抽出し、抽出した項目を図５に示す予約リストの空きカラムに記述する。このとき、記述先のカラムのステータスは“未受付”に設定され、記述先のカラムには“未”のアイコンが表示される。
【００５４】
受付用のＲＩＳ端末１４ｔｍは、放射線科の受付に設けられ、事務職員によって操作される。主治医による問診を終えた患者が放射線科の受付を訪れると、事務職員は、キーボード１４ｔｍ３またはマウスポインタ１４ｔｍ４によって受付画面表示操作を行う。ＲＩＳ端末１４ｔｍに設けられたＣＰＵ１４ｔｍ２は、図１６に示すステップＳ７１からステップＳ７３に進み、予約リスト転送要求をＲＩＳサーバ１４ｓｖに向けて発行する。予約リスト転送要求は通信Ｉ／Ｆ１４ｔｍ１から出力され、ＲＩＳサーバ１４ｓｖに設けられた通信Ｉ／Ｆ１４ｓｖ１を介してＲＩＳサーバ１４ｓｖのＣＰＵ１４ｓｖ４に与えられる。
【００５５】
図１８に飛んで、ＣＰＵ１４ｓｖ４は、ＲＩＳ端末１４ｔｍから予約リスト転送要求を受信したとき、ステップＳ１１７からステップＳ１１９に進む。ステップＳ１１９では、要求に合致する予約リストを主記憶装置１４ｓｖ２から取得し、取得された予約リストのＲＩＳ端末１４ｔｍへの転送を通信Ｉ／Ｆ１４ｓｖ１に命令する。取得された予約リストは、通信Ｉ／Ｆ１４ｓｖ１から出力され、ＲＩＳ端末１４ｔｍに設けられた通信Ｉ／Ｆ１４ｔｍ１を介してＲＩＳ端末１４ｔｍのＤＲＡＭ１４ｔｍ６に格納される。
【００５６】
図１６に戻って、ＲＩＳ端末１４ｔｍのＣＰＵ１４ｔｍ２は、ＲＩＳサーバ１４ｓｖから予約リストを受信したとき、ステップＳ７５からステップＳ７７に進む。ステップＳ７７では、受信した予約リストが描かれた受付画面をＤＲＡＭ１４ｔｍ６上で作成し、作成した受付画面の表示をディスプレイ装置１４ｔｍ５に命令する。ディスプレイ装置１４ｔｍ５は受付画面をＤＲＡＭ１４ｔｍ６から読み出し、読み出された受付画面を図６に示す要領で表示する。
【００５７】
放射線科の受付の職員がキーボード１４ｔｍ３またはマウスポインタ１４ｔｍ４によって予約受付操作を行うと、ＣＰＵ１４ｔｍ２は、ステップＳ７９からステップＳ８３に進み、予約リスト上のカラムのうち予約受付操作によって指定されたカラム（＝放射線科の受付を訪れた患者のカラム）のステータスを“受付済”に更新する。受付画面上の“未”のアイコン表示は、ステップＳ８３の処理によって“受”に更新される。
【００５８】
更新が完了すると、ＣＰＵ１４ｔｍ２は、ステップＳ８５で予約受付通知をＲＩＳサーバ１４ｓｖに送信する。予約受付通知は、通信Ｉ／Ｆ１４ｔｍ１から出力され、ＲＩＳサーバ１４ｓｖに設けられた通信Ｉ／Ｆ１４ｓｖ１を介してＲＩＳサーバ１４ｓｖのＣＰＵ１４ｓｖ４に与えられる。
【００５９】
なお、放射線科の受付の職員がキーボード１４ｔｍ３またはマウスポインタ１４ｔｍ４によって終了操作が行った場合、ＣＰＵ１４ｔｍ２は、ステップＳ８１でＹＥＳと判別し、ステップＳ８７で受付画面の非表示をディスプレイ装置１４ｔｍ５に命令する。この結果、受付画面がディスプレイ装置１４ｔｍ５から消失する。
【００６０】
図１８を参照して、ＲＩＳサーバ１４ｓｖのＣＰＵ１４ｓｖ４は、ＲＩＳ端末１４ｔｍから予約受付通知を受信したとき、ステップＳ１２１からステップＳ１２３に進み、予約リスト上のカラムのうち予約受付操作によって指定されたカラム（＝放射線科の受付を訪れた患者のカラム）のステータスを“受付済”に更新する。具体的には、予約リスト上の“未”のアイコンが“受”に更新され、検査リスト上の“未受付”の記述が“受付済”に更新される。予約リストの記述は、アイコンの更新によってＲＩＳ端末１４ｔｍとＲＩＳサーバ１４ｓｖとの間で同期する。
【００６１】
検査用のＲＩＳ端末１４ｔｍは、放射線技師によって操作される。放射線技師がキーボード１４ｔｍ３またはマウスポインタ１４ｔｍ４によって検査室画面表示操作を行うと、ＣＰＵ１４ｔｍ２は、図１６に示すステップＳ８９からステップＳ９１に進み、検査・予約リスト転送要求をＲＩＳサーバ１４ｓｖに向けて発行する。検査・予約リスト転送要求は、通信Ｉ／Ｆ１４ｔｍ１から出力され、ＲＩＳサーバ１４ｓｖに設けられた通信Ｉ／Ｆ１４ｓｖ１を介してＲＩＳサーバ１４ｓｖのＣＰＵ１４ｓｖ４に与えられる。
【００６２】
図１８に飛んで、ＣＰＵ１４ｓｖ４は、ＲＩＳ端末１４ｔｍから検査・予約リスト転送要求を受信したとき、ステップＳ１２５からステップＳ１２７に進む。ステップＳ１２７では、要求に合致する検査リストおよび予約リストを主記憶装置１４ｓｖ２から取得し、取得された検査リストおよび予約リストのＲＩＳ端末１４ｔｍへの転送を通信Ｉ／Ｆ１４ｓｖ１に命令する。取得された検査リストおよび予約リストは、通信Ｉ／Ｆ１４ｓｖ１から出力され、ＲＩＳ端末１４ｔｍに設けられた通信Ｉ／Ｆ１４ｔｍ１を介してＲＩＳ端末１４ｔｍのＤＲＡＭ１４ｔｍ６に格納される。
【００６３】
図１７に戻って、ＲＩＳ端末１４ｔｍのＣＰＵ１４ｔｍ２は、ＲＩＳサーバ１４ｓｖから検査リストおよび予約リストを受信したとき、ステップＳ９３からステップＳ９５に進む。ステップＳ９５では、受信した予約リスト上のカラムのうちステータスが“受付済”を示すカラムのみが描かれた検査室画面をＤＲＡＭ１４ｔｍ６上で作成し、作成した検査室画面の表示をディスプレイ装置１４ｔｍ５に命令する。検査室画面はディスプレイ装置１４ｔｍ５によって読み出され、図７に示す要領で表示される。
【００６４】
放射線技師は、キーボード１４ｔｍ３またはマウスポインタ１４ｔｍ４を操作して、検査室画面上の“受付済”のカラムの中から検査室を訪れた患者のカラムをクリックし、かつモダリティ１８を指定する。これらの操作を“予約実行操作”と呼ぶ。予約実行操作が行われると、ＣＰＵ１４ｔｍ２は、ステップＳ９７からステップＳ１０１に進み、クリックされたカラムのステータスを“受付済”から“検査中”に更新する。表示中の検査室画面は、図７から図８に更新される。つまり、検査室画面上の“受”のアイコン表示が“検”に更新される。
【００６５】
ステップＳ１０３では、ＲＩＳ端末１４ｔｍから受信した検査リストの中からクリックされたカラムに対応する検査リスト（＝検査室を訪れた患者の検査リスト）を特定し、特定した検査リストの表示をディスプレイ装置１４ｔｍ５に命令する。ディスプレイ装置１４ｔｍ５は、命令に従う検査リストをＤＲＡＭ１４ｔｍ６から読み出し、読み出された検査リストを図９に示す要領でモニタ画面に多重表示する。表示が完了すると、ＣＰＵ１４ｔｍ２は、ステップＳ１０５で検査実行通知をＲＩＳサーバ１４ｓｖに送信する。検査実行通知は、通信Ｉ／Ｆ１４ｔｍ１から出力され、ＲＩＳサーバ１４ｓｖに設けられた通信Ｉ／Ｆ１４ｓｖ１を介してＲＩＳサーバ１４ｓｖのＣＰＵ１４ｓｖ４に与えられる。
【００６６】
図１９に飛んで、ＣＰＵ１４ｓｖ４は、ＲＩＳ端末１４ｔｍから検査実行通知を受信したとき、ステップＳ１２９からステップＳ１３１に進み、予約リスト上のカラムのうち放射線技師によってクリックされたカラムのステータスを“受付済”から“検査中”に更新する。具体的には、予約リスト上の“受”のアイコンが“検”に更新され、検査リスト上の“受付済”の記述が“検査中”に更新される。
【００６７】
図２２に示すステップＳ１７１において、モダリティコンソール１６のＣＰＵ１６２は、ＲＩＳサーバ１４ｓｖに向けてＭＷＭ(Modality Worklist Management)方式で検査リスト転送要求を発行する。検査リスト転送要求は、通信Ｉ／Ｆ１６１から出力され、通信網１０とＲＩＳサーバ１４ｓｖに設けられた通信Ｉ／Ｆ１４ｓｖ５とを介して、ＲＩＳサーバ１４ｓｖのＣＰＵ１４ｓｖ４に与えられる。なお、検査リスト転送要求は、ＲＩＳサーバ１４ｓｖから検査リストを受信するまで繰り返し発行される。
【００６８】
図１９に戻って、モダリティコンソール１６から検査リスト転送要求を受信し、かつ要求元が予約実行操作によって指定されたモダリティ１８に付随するモダリティコンソール１６であれば、ＣＰＵ１４ｓｖ４は、ステップＳ１３３およびＳ１３５でＹＥＳと判別し、ステップＳ１３７に進む。ステップＳ１３７では、表示中の検査リストと同じ検査リストの転送を通信Ｉ／Ｆ１４ｓｖ５に命令する。命令に従う検査リストは、通信Ｉ／Ｆ１４ｓｖ５から出力され、通信網１０とモダリティコンソール１６に設けられた通信Ｉ／Ｆ１６１とを介して、モダリティコンソール１６のＤＲＡＭ１６６に格納される。
【００６９】
図２２に飛んで、モダリティコンソール１６のＣＰＵ１６２は、ＲＩＳサーバ１４ｓｖから検査リストを受信したとき、ステップＳ１７３からステップＳ１７５に進み、検査リストの表示をディスプレイ装置１６５に命令する。ディスプレイ装置１６５は、ＤＲＡＭ１６６に格納された検査リストを読み出し、読み出された検査リストをモニタ画面に表示する。これによって、共通の検査リストがＲＩＳ端末１４ｔｍのディスプレイ装置１４ｔｍ５およびモダリティコンソール１６のディスプレイ装置１６５に表示される。
【００７０】
放射線技師は、検査室から撮影室に移動し、患者を撮影室に呼び入れる。患者がモダリティ１８に配置されると、放射線技師は、ディスプレイ装置１６５に表示された検査リストを確認しながら、撮影条件調整操作，撮影実行操作および検査終了操作を行う。これらの操作は、キーボード１６３またはマウスポインタ１６４によって行われる。
【００７１】
撮影条件調整操作は、検査リストに記述された撮影条件（管電圧，管電流，曝射時間，距離）を参照して行われる。すると、ＣＰＵ１６２は、ステップＳ１７７からステップＳ１７９に進み、撮影条件つまりモダリティ１８の設定を調整する。具体的には、図示しない通信Ｉ／Ｆを通してモダリティ１８にアクセスし、管電圧，管電流，距離，曝射時間などを調整する。
【００７２】
また、撮影実行操作が行われると、ＣＰＵ１６２は、ステップＳ１８１からステップＳ１８３に進み、通信Ｉ／Ｆを通してモダリティ１８に撮影の実行を命令する。患者はモダリティ１８に設定された撮影条件に従って撮影され、これによって患部を表す医用画像が得られる。ステップＳ１８５では、撮影された医用画像が収められたＤＩＣＯＭファイルを作成する。
【００７３】
ＤＩＣＯＭファイルには、医用画像の他に、モダリティ１８に設定された撮影条件を示す撮影条件情報と撮影時に患者を透過した放射線の線量指標を示すＥＩ値とが収められ、さらに検査リストに記述された患者情報およびアクセッション番号が収められる。作成されたＤＩＣＯＭファイルは図１０に示すファイル構造を有し、通信Ｉ／Ｆを介してモダリティコンソール１６のＤＲＡＭ１６６に一時的に保持される。
【００７４】
検査終了操作が行われると、ＣＰＵ１６２は、ステップＳ１８７からステップＳ１８９に進み、ＤＲＡＭ１６６に保持されたＤＩＣＯＭファイルをＰＡＣＳ２２に保存するべく、ＤＩＣＯＭファイル保存要求をＰＡＣＳ２２に向けて発行する。発行されるＤＩＣＯＭファイル保存要求には、保存すべきＤＩＣＯＭファイルが付随する。
【００７５】
ＤＩＣＯＭファイル保存要求およびＤＩＣＯＭファイルは、通信Ｉ／Ｆ１６１から出力され、ＰＡＣＳ２２に設けられた通信Ｉ／Ｆ２２５を介して、ＰＡＣＳ２２のＣＰＵ２２４およびＤＲＡＭ２２３にそれぞれ与えられる。
【００７６】
図２３に飛んで、ＣＰＵ２２４は、モダリティコンソール１６からＤＩＣＯＭファイル保存要求を受信したとき、ステップＳ２０７からステップＳ２０９に進む。ステップＳ２０９では、ＤＲＡＭ２２３に格納されたＤＩＣＯＭファイルを主記憶装置１６７に保存する。
【００７７】
図２２に戻って、ステップＳ１９１では、アクセッション番号と撮影条件とが記述された検査終了通知をＭＰＰＳ(Modality Performed Procedure Step)方式でＲＩＳサーバ１４ｓｖに送信する。検査終了通知は、通信Ｉ／Ｆ１６１から出力され、通信網１０とＲＩＳサーバ１４ｓｖに設けられた通信Ｉ／Ｆ１４ｓｖ５とを介して、ＲＩＳサーバ１４ｓｖのＣＰＵ１４ｓｖ４に与えられる。
【００７８】
検査終了操作の後、放射線技師は、患者をモダリティ１８から解放し、撮影室から検査室に戻る。放射線技師が検査室のＲＩＳ端末１４ｔｍに設けられたキーボード１４ｔｍ３またはマウスポインタ１４ｔｍ４によって終了操作を行うと、ＣＰＵ１４ｔｍ２は、図１７に示すステップＳ９９からステップＳ１０７に進み、アクセッション番号が記述された検査終了通知をＲＩＳサーバ１４ｓｖに送信する。
【００７９】
検査終了通知は、通信Ｉ／Ｆ１４ｔｍ１から出力され、ＲＩＳサーバ１４ｓｖに設けられた通信Ｉ／Ｆ１４ｓｖ１を介してＲＩＳサーバ１４ｓｖのＣＰＵ１４ｓｖ４に与えられる。送信が完了するとステップＳ１０９に進み、検査室画面の非表示をディスプレイ装置１４ｔｍ５に命令する。この結果、検査室画面がディスプレイ装置１４ｔｍ５から消失する。
【００８０】
図２０を参照して、ＲＩＳサーバ１４ｓｖのＣＰＵ１４ｓｖ４は、モダリティコンソール１６から検査終了通知を受信したとき、ステップＳ１３９からステップＳ１４１に進む。ステップＳ１４１では、ＤＲＡＭ１４ｓｖ３上に図１１（Ａ）に示す要領で形成されたコンソール用レジスタに、検査終了通知を保存する。ＣＰＵ１４ｓｖ４はまた、ＲＩＳ端末１４ｔｍから検査終了通知を受信したとき、ステップＳ１４３からステップＳ１４５に進む。ステップＳ１４５では、ＤＲＡＭ１４ｓｖ３上に図１１（Ｂ）に示す要領で形成されたＲＩＳ端末用レジスタに、検査終了通知を保存する。
【００８１】
ステップＳ１４７では、共通のアクセッション番号を有する検査終了通知をコンソール用レジスタおよびＲＩＳ端末用レジスタから探索する。所望の検査終了通知が発見されると、ステップＳ１４９からステップＳ１５１に進み、発見された検査終了通知に記述されたアクセッション番号と同じアクセッション番号を有する検査リストをＤＲＡＭ１４ｔｍ６から特定する。
【００８２】
ステップＳ１５３では、コンソール用レジスタから発見された検査終了通知に含まれる撮影条件を読み出し、読み出された撮影条件をステップＳ１５１で特定した検査リストに記述する。検査オーダの受信時に検査リストに記述された撮影条件は、検査終了通知に含まれる撮影条件によって上書きされる。ステップＳ１５３ではまた、検査リスト上の“検査中”の記述を“実施済”に更新する。
【００８３】
ステップＳ１５３の処理が完了すると、ＣＰＵ１４ｓｖ４はステップＳ１５５に進み、この検査リストを主記憶装置１４ｓｖ２に保存する。ステップＳ１５７では、発見した検査終了通知をコンソール用レジスタおよびＲＩＳ端末用レジスタから削除する。ステップＳ１５９では、予約リスト上のカラムのうち主記憶装置１４ｓｖ２に保存された検査リストに対応するカラムを削除する。
【００８４】
ＰＡＣＳ２２に保存されたＤＩＣＯＭファイルは、検像システム２０による検像作業の対象となる。また、検像システム２０は、放射線科医によって操作される。検像システム２０のＣＰＵ２０２はまず、図２４に示すステップＳ２１１で検索画面をＤＲＡＭ２０６に展開し、展開された検索画面の表示をディスプレイ装置２０５に命令する。この結果、検索画面がディスプレイ装置２０５に表示される。
【００８５】
放射線科医がキーボード２０３またはマウスポインタ２０４を操作して検査目的を指定すると、ＣＰＵ２０２は、ステップＳ２１３からステップＳ２１５に進み、指定された検査目的が記述された検査リスト転送要求をＲＩＳサーバ１４ｓｖに向けて発行する。検査リスト転送要求は通信Ｉ／Ｆ２０１から出力され、通信網１０とＲＩＳサーバ１４ｓｖに設けられた通信Ｉ／Ｆ１４ｓｖ５とを介して、ＲＩＳサーバ１４ｓｖのＣＰＵ１４ｓｖ４に与えられる。
【００８６】
図２１を参照して、ＣＰＵ１４ｓｖ４は、検像システム２０から検査リスト転送要求を受信したとき、ステップＳ１６１からステップＳ１６３に進み、要求に合致する１または２以上の検査リストを主記憶装置１４ｓｖ２から取得する。取得された検査リストは、ＤＲＡＭ１４ｓｖ３に一時的に保持される。ステップＳ１６５では、取得した検査リストの要求元への転送を通信Ｉ／Ｆ１４ｓｖ１に命令する。ＤＲＡＭ１４ｓｖ３上の検査リストは、通信Ｉ／Ｆ１４ｓｖ５から出力され、通信網１０と検像システム２０に設けられた通信Ｉ／Ｆ２０１とを介して、検像システム２０のＤＲＡＭ２０６に取り込まれる。
【００８７】
なお、他の要求または通知を受信した場合、ＣＰＵ１４ｓｖ４は、ステップＳ１６７でＹＥＳと判別し、ステップＳ１６９で他の処理を実行する。
【００８８】
図２４に戻って、検像システム２０のＣＰＵ２０２は、ＲＩＳサーバ１４ｓｖから検査リストを受信したとき、ステップＳ２１７からステップＳ２１９に進む。ステップＳ２１９では、受信した検査リストからアクセッション番号を抽出する。ステップＳ２２１では、抽出したアクセッション番号が記述されたＤＩＣＯＭファイル転送要求をＰＡＣＳ２２に向けて発行する。ＤＩＣＯＭファイル転送要求は、通信Ｉ／Ｆ２０１から出力され、ＰＡＣＳ２２に設けられた通信Ｉ／Ｆ２２５を介してＰＡＣＳ２２のＣＰＵ２２４に与えられる。
【００８９】
図２３に飛んで、ＣＰＵ２２４は、検像システム２０からＤＩＣＯＭファイル転送要求を受信したとき、ステップＳ２０１からステップＳ２０３に進む。ステップＳ２０３では、ＤＩＳＣＯＭファイル転送要求に記述されたアクセッション番号と同じアクセッション番号を有する１または２以上のＤＩＣＯＭファイルを主記憶装置２２２から取得する。取得されたＤＩＣＯＭファイルは、ＤＲＡＭ２２３に一時的に保持される。
【００９０】
ステップＳ２０５では、こうして取得したＤＩＣＯＭファイルの要求元への転送を通信Ｉ／Ｆ２２５に命令する。ＤＲＡＭ２２３に保持されたＤＩＣＯＭファイルは、通信Ｉ／Ｆ２２５から出力され、通信網１０と検像システム２０に設けられた通信Ｉ／Ｆ２０１とを介して、検像システム２０のＤＲＡＭ２０６に取り込まれる。
【００９１】
図２４に戻って、検像システム２０のＣＰＵ２０２は、ＰＡＣＳ２２からＤＩＣＯＭファイルを受信したとき、ステップＳ２２３からステップＳ２２５に進む。ステップＳ２２５では、受信したＤＩＣＯＭファイルから患者情報を検出する。ステップＳ２２７では、検出された患者情報に基づいて、受信したＤＩＣＯＭファイルをグループ化する。グループ化は、たとえば年齢よび性別を基準として実行される。
【００９２】
放射線科医がキーボード２０３またはマウスポインタ２０４を操作して所望のグループを指定すると、ＣＰＵ２０２はステップＳ２２９からステップＳ２３１に進み、指定されたグループに属する１または２以上のＤＩＣＯＭファイルからＥＩ値を検出する。ステップＳ２３３では、検出されたＥＩ値の度数分布グラフをＤＲＡＭ２０６に描画し、描画された度数分布グラフの表示をディスプレイ装置２０５に命令する。度数分布グラフは、可視化のためにディスプレイ装置２０５によって読み出され、図１２に示す要領でモニタ画面に表示される。
【００９３】
放射線医がキーボード２０３またはマウスポインタ２０４によって終了操作を行うと、ＣＰＵ２０２はステップＳ２３５からステップＳ２３７に進み、度数分布グラフの非表示をディスプレイ装置２０５に命令する。この結果、度数分布グラフがモニタ画面から消失する。
【００９４】
以上の説明から分かるように、この実施例の複合医療視線システムは、ＨＩＳ１２，ＲＩＳ１４，モダリティコンソール１６および検像システム２０とを備える。
【００９５】
ＲＩＳ１４に設けられたＲＩＳサーバ１４ｓｖは、ＨＩＳ１２に設けられたＨＩＳサーバ１２ｓｖから検査オーダを受信したとき、１対の検査目的およびアクセッション番号を含む検査リストを作成し(S113)、作成した検査リストをモダリティコンソール１６に転送する(S137)。
【００９６】
モダリティコンソール１６は、受信した検査リストに検査目的に沿って撮影された医用画像と受信した検査リストに含まれるアクセッション番号とを収めたＤＩＣＯＭファイルをＰＡＣＳ２６に保存する(S189)。
【００９７】
検像システム２０は、ＲＩＳサーバ１４ｓｖによって作成された検査リストのうち所望の検査目的を含む検査リストをＲＩＳサーバ１４ｓｖから取得し(S213~S217)、取得された検査リストに含まれるアクセッション番号に相当するアクセッション番号を収めたＤＩＣＯＭファイルをＰＡＣＳから取得する(S219~S223)。
【００９８】
このように、検査リストおよびＤＩＣＯＭファイルは、ＲＩＳ１４およびＰＡＣＳ２２によってそれぞれ管理され、かつアクセッション番号によって互いに関連付けられる。これを踏まえて、検像システム２０は、所望の検査目的を含む検査リストをＲＩＳ１４から取得し、取得した検査リストに関連するＤＩＣＯＭファイルをアクセッション番号に基づいてＰＡＣＳ２２から取得する。これによって、所望の検査目的で作成された医用画像を対象として検像を実施することができ、検像を基点とする医療支援体制の充実化が図られる。
【００９９】
なお、この実施例では、検像システム２０とは別にＰＡＣＳ２２を設け、モダリティコンソール１６によって作成されたＤＩＣＯＭファイルをＰＡＣＳ２２の主記憶装置２２２に保存するようにしている。しかし、図２６に示すようにＰＡＣＳ２２を検像システム２０と統合し、モダリティコンソール１６によって作成されたＤＩＣＯＭファイルを検像システム２０の主記憶装置２０７に保存するようにしてもよい。この場合、図２３に示すフロー図に相当する処理は、検像システム２０のＣＰＵ２０２によって実行される。
【符号の説明】
【０１００】
１０  …通信網
１２  …ＨＩＳ
１２ｓｖ  …ＨＩＳサーバ
１２ｔｍ  …ＨＩＳ端末
１４  …ＲＩＳ
１４ｓｖ  …ＲＩＳサーバ
１４ｔｍ  …ＲＩＳ端末
１６  …モダリティコンソール
１８  …モダリティ
２０  …検像システム
２２  …ＰＡＣＳ
【図１】
2016218799.tif 000003
【図２】
2016218799.tif 000004
【図３】
2016218799.tif 000005
【図４】
2016218799.tif 000006
【図５】
2016218799.tif 000007
【図６】
2016218799.tif 000008
【図７】
2016218799.tif 000009
【図８】
2016218799.tif 000010
【図９】
2016218799.tif 000011
【図１０】
2016218799.tif 000012
【図１１】
2016218799.tif 000013
【図１２】
2016218799.tif 000014
【図１３】
2016218799.tif 000015
【図１４】
2016218799.tif 000016
【図１５】
2016218799.tif 000017
【図１６】
2016218799.tif 000018
【図１７】
2016218799.tif 000019
【図１８】
2016218799.tif 000020
【図１９】
2016218799.tif 000021
【図２０】
2016218799.tif 000022
【図２１】
2016218799.tif 000023
【図２２】
2016218799.tif 000024
【図２３】
2016218799.tif 000025
【図２４】
2016218799.tif 000026
【図２５】
2016218799.tif 000027
【図２６】
2016218799.tif 000028